(57)【要約】      （修正有）【課題】表示パネルを直接振動させて音響を発生させるパネル振動型音響発生表示装置を提供する。【解決手段】パネル振動型音響発生表示装置は、表示パネルの中央領域Ｃに配置される低音用中央アクチュエータと、中央領域の左側領域Ｌ及び右側領域Ｒに配置される中高音用左側アクチュエータ及び中高音用右側アクチュエータ２００’’を有する。中央領域と左側領域及び中央領域と右側領域との間に配置される音分離隔壁部６００、６００’と、中央領域と左右側領域の縁部に沿って配置されるバッフル部４００を備える。【選択図】図２ａ
2018093469.tif 000002
【特許請求の範囲】
【請求項１】
第１領域、第２領域、及び第３領域を含む表示パネルと、
第１アクチュエータ、第２アクチュエータ、及び第３アクチュエータを含み、前記第１アクチュエータ、第２アクチュエータ、及び第３アクチュエータの各々は残りの２つアクチュエータと長軸方向に離隔し、前記第１アクチュエータ、第２アクチュエータ、及び第３アクチュエータは各々前記第１領域、第２領域、及び第３領域で前記表示パネルと接触して前記表示パネルを振動させて音響を発生させる３個以上の音響発生アクチュエータと、
前記表示パネルの後方で前記３個以上の音響発生アクチュエータを支持する支持構造と、
を含む、表示装置。
【請求項２】
前記第１領域と第２領域とを分離する第１隔壁と、
前記第２領域と第３領域とを分離する第２隔壁と、
をさらに含む、請求項１に記載の表示装置。
【請求項３】
前記第１隔壁は前記長軸を横切る方向に延び、前記表示パネルと前記支持構造のうち、少なくとも１つに接触する、請求項２に記載の表示装置。
【請求項４】
前記第２隔壁は前記長軸を横切る方向に延び、前記表示パネルと前記支持構造のうち、少なくとも１つに接触する、請求項２に記載の表示装置。
【請求項５】
前記第２領域は前記表示パネルの中央領域を含み、前記中央領域は第１領域及び第３領域より大きい、請求項１に記載の表示装置。
【請求項６】
前記第１領域及び第３領域は、各々前記第２領域の左側及び右側領域である、請求項５に記載の表示装置。
【請求項７】
前記第２アクチュエータの低周波数帯域の限界周波数は、前記第１アクチュエータ及び前記第３アクチュエータの各々の低周波数帯域の限界周波数より低い、請求項１に記載の表示装置。
【請求項８】
前記第１隔壁及び第２隔壁の各々は、前記第２アクチュエータ方向に折り曲げられる折曲部を含む、請求項２に記載の表示装置。
【請求項９】
前記折曲部の先端位置は、前記第２アクチュエータの中心を通過する長軸方向ライン上に配置される、請求項８に記載の表示装置。
【請求項１０】
前記３個以上の音響発生アクチュエータは、前記第１領域及び第３領域内に各々配置される第４アクチュエータ及び第５アクチュエータをさらに含む、請求項２に記載の表示装置。
【請求項１１】
前記第４アクチュエータは第１アクチュエータの下部に、第５アクチュエータは前記第３アクチュエータの下部にある、請求項１０に記載の表示装置。
【請求項１２】
前記第１隔壁は、前記第１アクチュエータ方向に折り曲げられる第１折曲部と、前記第２アクチュエータ方向に折り曲げられる第２折曲部と、前記第４アクチュエータ方向に折り曲げられる第３折曲部とを含む、請求項１１に記載の表示装置。
【請求項１３】
前記第１折曲部の先端位置は前記第１アクチュエータに向かい、前記第２折曲部の先端位置は前記第２アクチュエータに向かい、前記第３折曲部の先端位置は前記第４アクチュエータの中心に向かうように、前記第１隔壁はジグザグ形態に配置される、請求項１２に記載の表示装置。
【請求項１４】
第２隔壁は、前記第３アクチュエータ方向に折り曲げられる第４折曲部と、前記第２アクチュエータ方向に折り曲げられる第５折曲部と、前記第５アクチュエータ方向に折り曲げられる第６折曲部を含み、
前記第４折曲部の先端位置は前記第３アクチュエータに向かい、前記第５折曲部の先端位置は前記第２アクチュエータに向かい、前記第６折曲部の先端位置は前記第５アクチュエータの中心に向かうように、前記第２隔壁はジグザグ形態に配置される、請求項１３に記載の表示装置。
【請求項１５】
前記３個以上の音響発生アクチュエータは、第２領域内に配置される第６アクチュエータをさらに含む、請求項１０に記載の表示装置。
【請求項１６】
前記第１隔壁及び第２隔壁はジグザグ形態に配置される、請求項２に記載の表示装置。
【請求項１７】
前記第２アクチュエータに隣接して配置される金属プレートをさらに含む、請求項１に記載の表示装置。
【請求項１８】
前記金属プレートは前記第２領域の前記表示パネル部分に付着され、前記第２アクチュエータから熱を伝導するよう構成されている、請求項１７に記載の表示装置。
【請求項１９】
前記第１隔壁及び第２隔壁は前記支持構造と前記表示パネルとの間に配置され、前記第１隔壁及び第２隔壁は少なくとも前記支持構造に接着される、請求項２に記載の表示装置。
【請求項２０】
前記第１隔壁及び第２隔壁と共に前記第１アクチュエータ、第２アクチュエータ、及び第３アクチュエータの周囲に各々第１空間、第２空間、及び第３空間を構成するように、前記第１アクチュエータ、第２アクチュエータ、及び第３アクチュエータの各々を囲むように配置されるバッフル部をさらに含む、請求項２に記載の表示装置。
【請求項２１】
前記バッフル部は、接着部とシーリング部のうちの１つ以上を含む、請求項２０に記載の表示装置。
【請求項２２】
前記第１アクチュエータ、第２アクチュエータ、及び第３アクチュエータが各々挿入されて支持構造に固定されるように、前記支持構造は第１支持孔、第２支持孔、及び第３支持孔を含む、請求項１に記載の表示装置。
【請求項２３】
映像を表示する表示パネルと、
前記表示パネルと連結されて動作し、前記表示パネルに振動を提供して表示パネルの表示方向に沿って音響を放出する複数のアクチュエータと、
を含む、装置。
【請求項２４】
前記表示パネルは、行方向（Row direction）及び列方向（Column direction）を画定するピクセルマトリックスを含み、前記複数のアクチュエータは前記行方向及び列方向のうちの少なくとも１つと整列される、請求項２３に記載の装置。
【請求項２５】
前記複数のアクチュエータは、前記表示パネルの中央領域に配置される１つ以上の第１アクチュエータと、前記中央領域と他の２つ以上の領域に配置される２つ以上の第２アクチュエータを含む、請求項２３に記載の装置。
【請求項２６】
１つ以上の第１アクチュエータのための第１区画と２つ以上の第２アクチュエータのための第２区画を提供するために、前記第１アクチュエータ及び第２アクチュエータの間、または２つの第２アクチュエータの間にある１つ以上の隔壁をさらに含み、第１区画及び第２区画は第１アクチュエータ及び第２アクチュエータと協働して前記表示パネルから放出される音響を発生する、請求項２５に記載の装置。
【請求項２７】
１つ以上の前記隔壁は、実質的に列方向（Column direction）に延びる、請求項２６に記載の装置。
【請求項２８】
前記第１区画内の１つ以上の第１アクチュエータ、及び前記第１区画の左側位置及び右側位置に隣接した第２区画内の１つ以上の第２アクチュエータは、行方向（Row direction）に整列される、請求項２６に記載の装置。
【請求項２９】
前記２つ以上の第２アクチュエータは、列方向（Column direction）に整列される、請求項２５に記載の装置。
【請求項３０】
前記第１アクチュエータ及び第２アクチュエータのうちの１つ以上は、前記表示パネルの下面と直接接触する、請求項２５に記載の装置。
【請求項３１】
前記第１アクチュエータ及び第１区画は、第２区画と動作する第２アクチュエータで発生する音響と比較する時、低音音響を発生する、請求項３０に記載の装置。
【請求項３２】
前記１つ以上の隔壁は第１区画及び第２区画と動作する第１アクチュエータ及び第２アクチュエータにより発生する音響の音響特性を向上させる折曲構造を含む、請求項２６に記載の装置。
【請求項３３】
前記第１区画及び第２区画のうちの１つ以上は実質的に密封される、請求項２６に記載の装置。
【請求項３４】
前記表示パネルは有機発光ダイオード（ＯＬＥＤ）を含み、前記装置は前記第１アクチュエータ及び第２アクチュエータのうちの１つ以上から熱を放出する１つ以上の熱放出部材をさらに含む、請求項２３に記載の装置。
【請求項３５】
第１領域と第２領域を含む表示パネルと、
前記表示パネルの長軸方向に互いに離隔する第１アクチュエータ及び第２アクチュエータを含み、前記第１アクチュエータ及び第２アクチュエータの各々は前記第１領域及び第２領域で各々前記表示パネルと接触して前記表示パネルの振動によって音響を発生する２つ以上の音響発生アクチュエータと、
前記２つ以上の音響発生アクチュエータを支持するために前記表示パネルの後方に配置される支持構造と、
前記第１領域及び第２領域を分離する第１隔壁と、
を含む、表示装置。
【請求項３６】
前記表示パネルは第３領域をさらに含み、前記表示装置は前記第２領域と第３領域とを分離する第２隔壁をさらに含む、請求項３５に記載の表示装置。
【請求項３７】
前記第１隔壁及び第２隔壁は平行に配置される実質的に同一な構造を有する２つ以上のサブ隔壁部を含む多重隔壁構造である、請求項３６に記載の表示装置。
【発明の詳細な説明】
【技術分野】
【０００１】
本発明は表示装置に関し、より詳しくは、表示パネルを直接振動させて音響を発生させる形態の表示装置に関し、特に中央低音及び両側ステレオ音響の具現が可能な２．１チャンネル形態のパネル振動型音響発生表示装置に関する。
【背景技術】
【０００２】
移動通信端末機、ノートブックコンピュータのような各種の携帯用電子機器が発展するにつれて、これに適用できる平板表示装置（Flat Panel Display Device）に対する要求が増大している。
【０００３】
平板表示装置には、液晶表示装置（Liquid Crystal Display Device）、プラズマディスプレイパネル（Plasma Display Panel）、電界放出表示装置（Field Emission Display Device）、発光ダイオード表示装置（Light Emitting Diode Display Device）、有機発光ダイオード表示装置（Organic Light Emitting Diode Display Device）などが研究されている。
【０００４】
このような表示装置のうち、液晶表示装置（ＬＣＤ）は、薄膜トランジスタを含むアレイ基板と、カラーフィルタ及び／又はブラックマトリックスなどを備えた上部基板と、その間に形成される液晶物質層を含んで構成され、画素領域の両電極の間に印加される電界によって液晶層の配列状態が調節され、それによって光の透過度が調節されて画像が表示される装置である。
【０００５】
また、最近、表示装置として脚光を浴びている有機発光表示装置は、自ら発光する有機発光ダイオード（ＯＬＥＤ：Organic Light Emitting Diode）を用いることによって、応答速度が速く、発光効率、輝度、及び視野角などが大きいという長所がある。
【０００６】
一方、このような表示装置を含む完成品概念のセット装置があり、このようなセット装置の例には、ＴＶ、コンピュータモニター、広告看板などがありうる。
【０００７】
このような表示装置またはセット装置には、表示される映像と関連した音響を発生させて出力するためのスピーカーのような音響出力装置が含まれる。
【０００８】
一般に、液晶表示装置または有機発光ダイオード表示装置などの表示装置生産業体は表示パネルまたは表示装置のみを生産し、スピーカーを生産する別途の業体で完成された表示装置にスピーカーを組み立てる方式により最終的に映像及び音が出力されるセット装置を具現していた。
【０００９】
図１は、従来の表示装置に含まれたスピーカーに対する概略的な平面図である。
【００１０】
図１に示すように、従来の表示装置１またはセット装置において、スピーカー２は表示パネルの後面または下端部に備えられている。
【００１１】
この場合、スピーカー２を通じて発生した音の進行方向は、映像が表示される表示パネルの前面でない後面または表示パネルの下方になるため、表示装置１の前方で映像を視聴する視聴者方向に音が進行しないので、視聴者の没入を妨害するという問題があった。
【００１２】
また、スピーカー２を通じて発生した音が表示パネルの後面または表示パネルの下方に進行する場合には、壁または底で反射される音との干渉によって音質が落ちるという問題があった。
【００１３】
また、従来の表示装置に含まれるスピーカーは発生した音響の進行方向が表示装置の観察者方向でない方に向かうようになって、音響の回折現象などにより音の定位感が落ちるだけでなく、ＴＶなどのセット装置を構成するに当たって、スピーカーが一定の空間を占めるようになるので、セット装置のデザイン及び空間配置上に一定の制約になるという問題もあった。
【００１４】
したがって、表示装置から出力される音の音質を改善し、視聴者の没入を妨害しない技術に対する必要性が増加している状況である。
【発明の概要】
【発明が解決しようとする課題】
【００１５】
本発明は前述した従来の問題点を解決するためのものであって、本発明の目的は、表示装置を構成する表示パネルを直接振動させて音響を発生させ、かつ中央領域で低音域帯音響を出力し、左右で中高音域帯音響を出力することができるパネル振動型音響発生が可能な表示装置を提供することにある。
【００１６】
本発明の他の目的は、表示パネルの中央領域に配置される低音用アクチュエータと、前記中央領域の左側領域及び右側領域に左側及び右側中高音用アクチュエータを配置し、中央領域と左側領域及び中央領域と右側領域の間に配置される音分離隔壁部と、前記中央領域と左右側領域の縁部に沿って配置されるバッフル部を備えることによって、優れる低音及びステレオ音響具現が可能なパネル振動型音響発生表示装置を提供することにある。
【００１７】
本発明の更に他の目的は、中央領域と左右側領域とを分割する音分離隔壁部の形状をアクチュエータ位置に連動して最適化することによって、各領域で発生できる反射波または定在波による音質特性劣化を防止することができる表示装置を提供することにある。
【００１８】
本発明の更に他の目的は、中央領域と左右側領域とを分割する音分離隔壁部の高さ、個数、表示パネルとの接着の有無などを調節することによって、中央低音及び左右ステレオ音響具現特性に優れる表示装置を提供することにある。
【課題を解決するための手段】
【００１９】
表示装置は、
第１領域、第２領域、及び第３領域を含む表示パネルと、
第１アクチュエータ、第２アクチュエータ、及び第３アクチュエータを含み、前記第１アクチュエータ、第２アクチュエータ、及び第３アクチュエータの各々は残りの２つアクチュエータと長軸方向に離隔し、前記第１アクチュエータ、第２アクチュエータ、及び第３アクチュエータは各々前記第１領域、第２領域、及び第３領域で前記表示パネルと接触して前記表示パネルを振動させて音響を発生させる３個以上の音響発生アクチュエータと、
前記表示パネルの後方で前記３個以上の音響発生アクチュエータを支持する支持構造と、
を含む、表示装置とすることができる。
【００２０】
前記第１領域と第２領域とを分離する第１隔壁と、前記第２領域と第３領域とを分離する第２隔壁と、をさらに含む、表示装置とすることができる。
前記第１隔壁は前記長軸を横切る方向に延び、前記表示パネルと前記支持構造のうち、少なくとも１つに接触する、表示装置とすることができる。
前記第２隔壁は前記長軸を横切る方向に延び、前記表示パネルと前記支持構造のうち、少なくとも１つに接触する、表示装置とすることができる。
前記第２領域は前記表示パネルの中央領域を含み、前記中央領域は第１領域及び第３領域より大きい、表示装置とすることができる。
前記第１領域及び第３領域は、各々前記第２領域の左側及び右側領域である、表示装置とすることができる。
前記第２アクチュエータの低周波数帯域の限界周波数は、前記第１アクチュエータ及び前記第３アクチュエータの各々の低周波数帯域の限界周波数より低い、表示装置とすることができる。
前記第１隔壁及び第２隔壁の各々は、前記第２アクチュエータ方向に折り曲げられる折曲部を含む、表示装置とすることができる。
前記折曲部の先端位置は、前記第２アクチュエータの中心を通過する長軸方向ライン上に配置される、表示装置とすることができる。
前記３個以上の音響発生アクチュエータは、前記第１領域及び第３領域内に各々配置される第４アクチュエータ及び第５アクチュエータをさらに含む、表示装置とすることができる。
【００２１】
前記第４アクチュエータは第１アクチュエータの下部に、第５アクチュエータは前記第３アクチュエータの下部にある、表示装置とすることができる。
前記第１隔壁は、前記第１アクチュエータ方向に折り曲げられる第１折曲部と、前記第２アクチュエータ方向に折り曲げられる第２折曲部と、前記第４アクチュエータ方向に折り曲げられる第３折曲部とを含む、表示装置とすることができる。
前記第１折曲部の先端位置は前記第１アクチュエータに向かい、前記第２折曲部の先端位置は前記第２アクチュエータに向かい、前記第３折曲部の先端位置は前記第４アクチュエータの中心に向かうように、前記第１隔壁はジグザグ形態に配置される、表示装置とすることができる。
第２隔壁は、前記第３アクチュエータ方向に折り曲げられる第４折曲部と、前記第２アクチュエータ方向に折り曲げられる第５折曲部と、前記第５アクチュエータ方向に折り曲げられる第６折曲部を含み、前記第４折曲部の先端位置は前記第３アクチュエータに向かい、前記第５折曲部の先端位置は前記第２アクチュエータに向かい、前記第６折曲部の先端位置は前記第５アクチュエータの中心に向かうように、前記第２隔壁はジグザグ形態に配置される、表示装置とすることができる。
前記３個以上の音響発生アクチュエータは、第２領域内に配置される第６アクチュエータをさらに含む、表示装置とすることができる。
前記第１隔壁及び第２隔壁はジグザグ形態に配置される、表示装置とすることができる。
前記第２アクチュエータに隣接して配置される金属プレートをさらに含む、表示装置とすることができる。
前記金属プレートは前記第２領域の前記表示パネル部分に付着され、前記第２アクチュエータから熱を伝導するよう構成されている、表示装置とすることができる。
前記第１隔壁及び第２隔壁は前記支持構造と前記表示パネルとの間に配置され、前記第１隔壁及び第２隔壁は少なくとも前記支持構造に接着される、表示装置とすることができる。
前記第１隔壁及び第２隔壁と共に前記第１アクチュエータ、第２アクチュエータ、及び第３アクチュエータの周囲に各々第１空間、第２空間、及び第３空間を構成するように、前記第１アクチュエータ、第２アクチュエータ、及び第３アクチュエータの各々を囲むように配置されるバッフル部をさらに含む、表示装置とすることができる。
【００２２】
前記バッフル部は、接着部とシーリング部のうちの１つ以上を含む、表示装置とすることができる。
前記第１アクチュエータ、第２アクチュエータ、及び第３アクチュエータが各々挿入されて支持構造に固定されるように、前記支持構造は第１支持孔、第２支持孔、及び第３支持孔を含む、表示装置とすることができる。
【００２３】
装置は、
映像を表示する表示パネルと、
前記表示パネルと連結されて動作し、前記表示パネルに振動を提供して表示パネルの表示方向に沿って音響を放出する複数のアクチュエータと、
を含む、装置とすることができる。
【００２４】
前記表示パネルは、行方向（Row direction）及び列方向（Column direction）を画定するピクセルマトリックスを含み、前記複数のアクチュエータは前記行方向及び列方向のうちの少なくとも１つと整列される、装置とすることができる。
前記複数のアクチュエータは、前記表示パネルの中央領域に配置される１つ以上の第１アクチュエータと、前記中央領域と他の２つ以上の領域に配置される２つ以上の第２アクチュエータを含む、装置とすることができる。
１つ以上の第１アクチュエータのための第１区画と２つ以上の第２アクチュエータのための第２区画を提供するために、前記第１アクチュエータ及び第２アクチュエータの間、または２つの第２アクチュエータの間にある１つ以上の隔壁をさらに含み、第１区画及び第２区画は第１アクチュエータ及び第２アクチュエータと協働して前記表示パネルから放出される音響を発生する、装置とすることができる。
１つ以上の前記隔壁は、実質的に列方向（Column direction）に延びる、装置とすることができる。
前記第１区画内の１つ以上の第１アクチュエータ、及び前記第１区画の左側位置及び右側位置に隣接した第２区画内の１つ以上の第２アクチュエータは、行方向（Row direction）に整列される、装置とすることができる。
前記２つ以上の第２アクチュエータは、列方向（Column direction）に整列される、装置とすることができる。
前記第１アクチュエータ及び第２アクチュエータのうちの１つ以上は、前記表示パネルの下面と直接接触する、装置とすることができる。
前記第１アクチュエータ及び第１区画は、第２区画と動作する第２アクチュエータで発生する音響と比較する時、低音音響を発生する、装置とすることができる。
前記１つ以上の隔壁は第１区画及び第２区画と動作する第１アクチュエータ及び第２アクチュエータにより発生する音響の音響特性を向上させる折曲構造を含む、装置とすることができる。
前記第１区画及び第２区画のうちの１つ以上は実質的に密封される、装置とすることができる。
前記表示パネルは有機発光ダイオード（ＯＬＥＤ）を含み、前記装置は前記第１アクチュエータ及び第２アクチュエータのうちの１つ以上から熱を放出する１つ以上の熱放出部材をさらに含む、装置とすることができる。
【００２５】
表示装置は、
第１領域と第２領域を含む表示パネルと、
前記表示パネルの長軸方向に互いに離隔する第１アクチュエータ及び第２アクチュエータを含み、前記第１アクチュエータ及び第２アクチュエータの各々は前記第１領域及び第２領域で各々前記表示パネルと接触して前記表示パネルの振動によって音響を発生する２つ以上の音響発生アクチュエータと、
前記２つ以上の音響発生アクチュエータを支持するために前記表示パネルの後方に配置される支持構造と、
前記第１領域及び第２領域を分離する第１隔壁と、
を含む、表示装置とすることができる。
【００２６】
前記表示パネルは第３領域をさらに含み、前記表示装置は前記第２領域と第３領域とを分離する第２隔壁をさらに含む、表示装置とすることができる。
前記第１隔壁及び第２隔壁は平行に配置される実質的に同一な構造を有する２つ以上のサブ隔壁部を含む多重隔壁構造である、表示装置とすることができる。
【００２７】
また、前記の目的を達成するために、本実施形態による表示装置は、表示パネルの中央領域に配置される中央アクチュエータと、中央領域左右側に存在する左側領域及び右側領域に各々配置される左側アクチュエータ及び右側アクチュエータを含み、かつ中央アクチュエータ、左側アクチュエータ、及び右側アクチュエータは前記表示パネルの底面に接触するように配置されて表示パネルを振動させて音響を発生させる１以上の音響発生アクチュエータと、表示パネルの後方を支持する後面支持部であるカバーボトムと、中央領域と左側領域及び中央領域と右側領域を各々分割するように表示パネルの上下方向に延長され、かつ表示パネルと後面支持部に接触配置される第１及び第２音分離隔壁部を含んで構成される。
この際、中央領域の面積は左側領域または右側領域の面積より大きいことがあり、中央アクチュエータの低音限界周波数（ｆ０）は左右側アクチュエータの低音限界周波数より低いことがある。
また、第１音分離隔壁部及び第２音分離隔壁部は、中央アクチュエータ方向に折り曲げられる折曲部を含むことができ、この際、折曲部の先端位置は中央アクチュエータの中心と同一な水平ライン上に配置できる。
一方、左側アクチュエータは左側領域の上部に配置される上部左側サブアクチュエータと、左側領域の下部に配置される下部左側サブアクチュエータを含み、第１音分離隔壁部は上部左側サブアクチュエータ方向に折り曲げられる第１折曲部と、中央アクチュエータ方向に折り曲げられる第２折曲部と、下部左側サブアクチュエータ方向に折り曲げられる第３折曲部を有するジグザグ形態に構成できる。
また、中央アクチュエータに隣接して配置される金属プレートをさらに含むことができ、この際、金属プレートは熱伝導性を有する板状部材であって、中央領域の表示パネルの一部に付着され、中央アクチュエータを中心に置いて対称的に配置できる。
また、第１音分離隔壁部及び第２音分離隔壁部は、後面支持部の上面と表示パネルの底面との間に配置され、かつ少なくとも後面支持部の上面に接着され、表示パネルの下面には非接着式により接触できる。
この際、第１音分離隔壁部及び第２音分離隔壁部は、表示パネルの底面に非接着構造で接触し、音分離隔壁部の高さ（Ｈ１）は後面支持部と表示パネルとの間のギャップ（Ｔ）より大きいか等しいことがある。
また、第１音分離隔壁部及び第２音分離隔壁部と共に前記中央アクチュエータ、左側アクチュエータ、及び前記右側アクチュエータの周囲に各々密閉された第１エアーギャップ空間（ＡＧ Ｃ）、第２エアーギャップ空間（ＡＧ Ｌ）、及び第３エアーギャップ空間（ＡＧ Ｒ）を構成するように、中央アクチュエータと、左側アクチュエータ、及び前記右側アクチュエータの周囲を囲むように配置されるバッフル部をさらに含むことができ、この際、バッフル部は後面支持部の上面と表示パネルの下面に接着される接着部材と、接着部材の外郭に配置されるシーリング部を含む二重構造でありうる。
また、中央アクチュエータ、左側アクチュエータ、または右側アクチュエータは、後面支持部に備えられた支持孔に挿入されて後面支持部に固定できる。
【発明の効果】
【００２８】
以下に説明するような本発明の実施形態によれば、表示パネルの中央領域に低音用アクチュエータを配置し、中央領域の左側領域及び右側領域に各々左側及び右側の中高音用アクチュエータを配置し、各アクチュエータが該当する領域の表示パネルを振動させて音響を発生させることによって、広い音域帯で優れる音響特性を有する表示装置を提供することができる。
【００２９】
より具体的に、表示パネルの中央領域に配置される低音用中央アクチュエータと、前記中央領域の左側領域及び右側領域に中高音用左側及び右側アクチュエータを配置し、中央領域と左側領域及び中央領域と右側領域の間に配置される音分離隔壁部と、前記中央領域と左右側領域の縁部に沿って配置されるバッフル部を備えることによって、優れる低音及びステレオ音響具現が可能なパネル振動型音響発生表示装置を提供することができる。
【００３０】
また、中央領域と左右側領域とを分割する音分離隔壁部の形状をアクチュエータ位置に連動して最適化することによって、各領域で発生できる反射波または定在波による音質特性劣化を防止することができる効果がある。
【００３１】
また、中央領域と左右側領域とを分割する音分離隔壁部の高さ、個数、表示パネルとの接着の有無などを調節することによって、中央低音及び左右ステレオ音響具現特性に優れる表示装置を提供することができる。
【図面の簡単な説明】
【００３２】
【図１】従来の表示装置に含まれたスピーカーに対する概略的な平面図である。
【図２ａ】本発明の実施形態に従うパネル振動型音響発生装置を含む表示装置の概略図であって、図２ａは平面図である。
【図２ｂ】本発明の実施形態に従うパネル振動型音響発生装置を含む表示装置の概略図であって、図２ｂは断面図である。
【図３ａ】本発明の中央アクチュエータまたは左右側アクチュエータに使用できる２つタイプの音響発生アクチュエータの断面図である。
【図３ｂ】本発明の中央アクチュエータまたは左右側アクチュエータに使用できる２つタイプの音響発生アクチュエータの断面図である。
【図４ａ】本発明の実施形態による中央アクチュエータまたは左右側アクチュエータが表示パネルを振動させて音響を発生する状態を図示する。
【図４ｂ】本発明の実施形態による中央アクチュエータまたは左右側アクチュエータが表示パネルを振動させて音響を発生する状態を図示する。
【図５ａ】本発明の実施形態による中央アクチュエータまたは左右側アクチュエータと表示装置の後面支持部であるカバーボトムとの結合状態の一例を図示する。
【図５ｂ】本発明の実施形態による中央アクチュエータまたは左右側アクチュエータと表示装置の後面支持部であるカバーボトムとの結合状態の一例を図示する。
【図６ａ】中央アクチュエータまたは左右側アクチュエータとカバーボトムとの結合構造に対する他の実施形態を図示する。
【図６ｂ】中央アクチュエータまたは左右側アクチュエータとカバーボトムとの結合構造に対する他の実施形態を図示する。
【図７ａ】振動板としての表示パネルとカバーボトムとの間に音響伝達用エアーギャップ空間（ＡＧ＿Ｌ、ＡＧ＿Ｃ、ＡＧ＿Ｒ）を形成するために、表示パネルと表示パネルの支持構造との間に形成されるバッフル部の一例を図示する。
【図７ｂ】振動板としての表示パネルとカバーボトムとの間に音響伝達用エアーギャップ空間（ＡＧ＿Ｌ、ＡＧ＿Ｃ、ＡＧ＿Ｒ）を形成するために、表示パネルと表示パネルの支持構造との間に形成されるバッフル部の一例を図示する。
【図７ｃ】振動板としての表示パネルとカバーボトムとの間に音響伝達用エアーギャップ空間（ＡＧ＿Ｌ、ＡＧ＿Ｃ、ＡＧ＿Ｒ）を形成するために、表示パネルと表示パネルの支持構造との間に形成されるバッフル部の一例を図示する。
【図８ａ】左側及び右側アクチュエータのみを含む２チャンネル音響具現表示装置の平面図である。
【図８ｂ】図８ａの表示装置と本実施形態による表示装置の音響発生特性を図示するグラフである。
【図９】本実施形態による表示装置で、音分離隔壁部で反射される反射音波によって発生する定在波と、それによる音響特性弱化現象を図示する。
【図１０ａ】本発明の他の実施形態による表示装置であって、定在波による影響を最小化するために、音分離隔壁部が折曲部を含む構造を図示する。
【図１０ｂ】本発明の他の実施形態による表示装置であって、定在波による影響を最小化するために、音分離隔壁部が折曲部を含む構造を図示する。
【図１１ａ】本発明の更に他の実施形態であって、中央アクチュエータまたは左右側アクチュエータなどが２以上の離隔したアクチュエータを備える構造と、その時の音分離隔壁部の形状を図示する。
【図１１ｂ】本発明の更に他の実施形態であって、中央アクチュエータまたは左右側アクチュエータなどが２以上の離隔したアクチュエータを備える構造と、その時の音分離隔壁部の形状を図示する。
【図１２ａ】本発明の更に他の実施形態であって、低音特性を向上させ、放熱機能を有する金属プレートをさらに含む実施形態を図示する。
【図１２ｂ】本発明の更に他の実施形態であって、低音特性を向上させ、放熱機能を有する金属プレートをさらに含む実施形態を図示する。
【図１３ａ】本実施形態による音分離隔壁部の細部構成を図示する。
【図１３ｂ】本実施形態による音分離隔壁部の細部構成を図示する。
【図１３ｃ】本実施形態による音分離隔壁部の細部構成を図示する。
【図１４ａ】本発明の他の実施形態に関するものであって、図１４ａはバッフル部が表示パネルの内側に配置される構造を例示する。
【図１４ｂ】本発明の他の実施形態に関するものであって、図１４ｂは音分離隔壁部が多重隔壁構造を有する例を図示する。
【発明を実施するための形態】
【００３３】
以下、本発明の一部の実施形態を例示的な図面を通じて詳細に説明する。各図面の構成要素に参照符号を付加するに当たって、同一な構成要素に対しては、たとえ他の図面上に表示されても、できる限り同一な符号を有することができる。また、本発明を説明するに当たって、関連した公知構成または機能に対する具体的な説明が本発明の要旨を曖昧にすることがあると判断される場合には、その詳細な説明は省略する。
【００３４】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質、順序、手順、または個数などが限定されるものではない。ある構成要素が他の構成要素に“連結”、“結合”、または“接続”されると記載された場合、その構成要素は該他の構成要素に直接的に連結または接続できるが、各構成要素の間に他の構成要素が“介在”されるか、または各構成要素が他の構成要素を通じて“連結”、“結合”、または“接続”されることもできると理解されるべきである。
【００３５】
図２は本実施形態に係るパネル振動型音響発生装置を含む表示装置の概略図であって、図２ａは平面図、図２ｂは断面図である。
【００３６】
図２に示すように、本実施形態による表示装置は、映像を表示する表示パネル１００と、その表示パネルの一面に接触して表示パネルを振動させて音響を発生させる音響発生アクチュエータ２００、２００’、２００’’を含んで構成される。
【００３７】
一方、音響発生アクチュエータは、表示パネルの中央領域（Ｃ）に配置される低音用中央アクチュエータ２００と、中央領域の左側及び右側に各々配置される左側領域（Ｌ）及び右側領域（Ｒ）に各々配置される左側アクチュエータ２００’及び右側アクチュエータ２００’’を含み、中央領域と左側領域との間には第１音分離隔壁部６００が配置され、中央領域と右側領域との間には第２音分離隔壁部６００’が配置される。
【００３８】
以下、本明細書で、左側領域、中央領域、及び右側領域は、各々第１領域、第２領域、及び第３領域と同等な意味として使われて、左側アクチュエータ、中央アクチュエータ、及び右側アクチュエータは、各々第１アクチュエータ、第２アクチュエータ、及び第３アクチュエータと同等な意味として使用できる。
【００３９】
また、音分離隔壁部は単純に隔壁（partition）としてのみ表現されることもできる。
【００４０】
第１及び第２音分離隔壁部６００．６００’は、中央領域で発生する低音域帯音響と、左右側領域で発生する中高音域帯音響とを分離する部材として機能する。
【００４１】
第１及び第２音分離隔壁部６００．６００’は、位置上、対称に配置され、かつ同一な構造を有するので、以下では中央領域（Ｃ）と左側領域（Ｌ）とを区分する第１音分離隔壁部６００を代表して説明し、同一な構成が第２音分離隔壁部６００’にも適用できる。
【００４２】
第１音分離隔壁部６００は、表示パネルの上下方向に延長され、かつ表示パネル１００と後面支持部であるカバーボトム３００との間に配置される隔壁構造物であって、左側アクチュエータ２００’で発生する中高音域帯音響と中央アクチュエータ２００で発生する低音域帯音響とを分離することによって、両音響の干渉などによる音響特性低下を防止するためのものである。
【００４３】
ここで、後面支持部は支持構造と同等な意味として使用できる。
このような第１音分離隔壁部６００は、フォームパッドまたは一面／両面テープで構成されることができ、少なくともカバーボトムの上面には接着されなければならず、表示パネルの底面とは接着または非接着形態に接触できる。
【００４４】
また、第１音分離隔壁部６００は低音及び中高音域帯音響の音分離機能と共に低音放出特性を向上させるために、表示パネルの底面には非接着形態に接触することができ、第１音分離隔壁部６００の高さ（Ｈ１）は表示パネル１００とカバーボトム３００との間の間隔（Ｔ）、即ち第１から第３エアーギャップ空間７００、７００’、７００’’の厚さと等しいか大きいことがある。
【００４５】
本明細書で、第１から第３エアーギャップ空間７００、７００’、７００’’は、単純に第１空間乃至第３空間、または第１区画乃至第３区画などで表現されることもできる。
【００４６】
このような第１音分離隔壁部６００の細部構成については、以下で図１３を参考しつつより詳細に説明する。
【００４７】
一方、中央アクチュエータ２００が配置される中央領域（Ｃ）は、上下辺にはバッフル部４００として画定され、左右辺は各々第１及び第２音分離隔壁部６００、６００’として画定される領域を意味し、このような中央領域は前述したバッフル部と音分離隔壁部及び前後方に配置される表示パネルの一面及び表示装置の後面支持部としてのカバーボトム３００の上面として画定される第１エアーギャップ（ＡＧ Ｃ）により封入できる。
【００４８】
また、左側アクチュエータ２００’が配置される左側領域（Ｌ）は、右側辺は第１音分離隔壁部６００として画定され、残りの３個の辺はバッフル部４００として画定される領域を意味し、表示パネルとカバーボトムとの間の左側領域（Ｌ）空間は第２エアーギャップ（ＡＧ Ｌ）と表現できる。
【００４９】
図４などでより詳細に説明するが、中央アクチュエータ２００と、左右側アクチュエータ２００’、２００’’は、全てマグネットと、マグネットを支持するプレートと、プレートの中央領域に突出形成されるセンターポールと、前記センターポールの周囲を囲むように配置され、音響発生用電流が印加されるコイルが巻き取られたボビンを含み、前記ボビンの先端部が前記表示パネルの一面に接触するように配置される。
【００５０】
また、図２Ｂに示すように、表示装置は表示パネルの後面または側面のうちの１つ以上を支持する後面支持部を含むことができ、各アクチュエータのプレートはその支持構造に固定される。
後面支持部は表示パネルの後面に配置されるカバーボトム３００を含み、表示パネルの側面を囲みながら前記カバーボトムと結合され、表示パネルの一側縁を収容して支持するミドルキャビネット５００をさらに含むことができる。
【００５１】
後面支持部を構成するカバーボトム（Cover Bottom）は、表示装置の後面の全体に亘って延びる金属またはプラスチック材質の板状部材でありうる。
一方、本実施形態による音響発生表示装置では、中央アクチュエータ２００が中央領域の表示パネル１００を直接振動させて低音域帯音響を発生させ、左側及び右側アクチュエータ２００’、２００’’は、左側領域（Ｌ）及び右側領域（Ｒ）の表示パネル部分を直接振動させて低音域帯の音響を発生させる。
【００５２】
即ち、本実施形態によれば、中央ウーハーでは低音出力が、左右側ステレオ音響出力が可能な、いわゆる２．１チャンネル形態の音響出力特性を有することができる。
本明細書では、低音域帯は３００Ｈｚ以下、中音域帯は３００〜１．５ｋＨｚ、高音域帯は１．５ｋＨｚ以上に定義するが、それに限定されるものではない。
【００５３】
一方、本実施形態では、中央アクチュエータ２００の低音限界周波数（ｆ０）を左右側アクチュエータ２００’、２００’’の低音限界周波数より低いようにする第１方式と、中央領域（Ｃ）の面積が左側領域（Ｌ）及び右側領域（Ｒ）の面積より大きく形成する第２方式のうち、１つ以上を採択することができる。ここで、低音限界周波数（ｆ０）は各アクチュエータの再生低周波数帯域のうちの下限値であって、各アクチュエータが発生させることができる最も低音域帯音波の周波数を意味し、最低共鳴振動数で表現されることもできる。
このように構成することによって、低音域帯音響が中高音域帯音響より大きくなって低音特性が向上する効果がある。
【００５４】
特に、中央領域（Ｃ）の面積を左右側領域の面積より大きくすれば、同一なアクチュエータ出力を有しても低音の振動板面積が大きくなるので低音の安定した出力が可能になる。
【００５５】
また、以下の図１０から図１１で説明するように、音分離隔壁部で反射された反射波と進行波の干渉によって波動が止まっている定在波が発生して音質が弱まる可能性がある。このような問題を解決するために、他の実施形態では音分離隔壁部が直線形態でなく、アクチュエータ方向に折り曲げられた折曲部をさらに含むことができる。
【００５６】
また、図１２で説明するように、低音特性を向上させ、アクチュエータで発生した熱を放出するために中央領域に配置される金属プレートをさらに含むことができる。
このような金属プレートは一定の質量を有しながら熱伝導性を有する板状部材であって、中央領域の表示パネルの一部に付着されることができ、中央アクチュエータを中心に置いて配置できる。
【００５７】
また、図１４の以下でより詳細に説明するように、第１及び第２音分離隔壁部を二重隔壁構造で形成することができ、これを通じて中央の低音域帯音響と左右の中高音域帯音響との分離をより確実にすることもできる。
【００５８】
以下、本実施形態による表示装置の残りの構成要素について詳細に説明する。
本実施形態による表示装置は、後面支持構造としてカバーボトム３００をさらに含み、このようなカバーボトム３００はミドルキャビネット５００などと結合されて表示パネル１００の後方を支持する機能と、本実施形態によるアクチュエータを固定する機能を担当することができる。
【００５９】
この際、カバーボトム３００はその用語に限定されるものではなく、プレートボトム（Plate Bottom）、バックカバー（Back Cover）、ベースフレーム（Base Frame）、メタルフレーム（Metal Frame）、メタルシャーシ（Metal Chassis）、シャーシベース（Chassis Base）、ｍ−シャーシなど、他の表現で使われることができ、表示パネルを支持する支持体であって、表示装置の後方基底部に配置される全ての形態のフレームまたは板状構造物を含む概念として理解されるべきである。
【００６０】
本明細書で、“表示装置”という用語は、表示パネルと表示パネルを駆動するための駆動部を含む液晶モジュール（Liquid Crystal Module；ＬＣＭ）、有機発光表示モジュール（ＯＬＥＤ Module）のような狭義の表示装置は勿論、そのようなＬＣＭ、ＯＬＥＤモジュールなどを含む完成品であるノートブックコンピュータ、ＴＶ、コンピュータモニター、スマートフォン、または電子パッドのようなモバイル電子装置などのセット電子装置、またはセット装置までも含む概念として使用する。
【００６１】
即ち、本明細書での表示装置は、ＬＣＭ、ＯＬＥＤモジュールのような狭義のディスプレイ装置は勿論、それを含む応用製品であるセット装置まで含む意味として使用する。
【００６２】
但し、場合によっては、表示パネルとその駆動部などで構成されるＬＣＭ、ＯＬＥＤモジュールを狭義の“表示装置”と表現し、そのようなＬＣＭ、ＯＬＥＤモジュールを含む完成品としての電子装置を“セット装置”に区別して表現することもできる。例えば、狭義の表示装置は液晶（ＬＣＤ）または有機発光（ＯＬＥＤ）表示パネルとそれを駆動するための制御部であるソースＰＣＢを含み、セット装置はソースＰＣＢに電気的に連結されてセット装置の全体を制御するセット制御部であるセットＰＣＢをさらに含む概念でありうる。
【００６３】
本実施形態に使われる表示パネル１００は、液晶表示パネル、有機電界発光（ＯＬＥＤ：Organic Light Emitting Diode）表示パネル、プラズマ表示パネル（ＰＤＰ：Plasma Display Panel）は全ての形態の表示パネルが使われることができ、音響発生アクチュエータ２００により直接振動されることによって、音波を発生できる限り、特定の表示パネルに限定されるものではない。
【００６４】
より詳しくは、表示パネルが液晶表示パネルの場合には、多数のゲートラインとデータライン及びその交差領域に画定されるピクセル（Pixel）と、各ピクセルでの光透過度を調節するためのスイッチング素子である薄膜トランジスタを含むアレイ基板と、カラーフィルタ及び／又はブラックマトリックスなどを備えた上部基板と、その間に形成される液晶物質層を含んで構成できる。
【００６５】
また、表示パネルが有機電界発光（ＯＬＥＤ）表示パネルの場合には、多数のゲートラインとデータライン及びその交差領域に画定されるピクセル（Pixel）と、各ピクセルに選択的に電圧を印加するための素子である薄膜トランジスタを含むアレイ基板と、アレイ基板上の有機発光素子（ＯＬＥＤ）層、及び有機発光素子層を覆うようにアレイ基板上に配置される封止基板またはエンカプセレーション（Ｅｎｃａｐ．）基板などを含んで構成できる。封止基板は外部の衝撃から前記薄膜トランジスタ及び有機発光素子層などを保護し、前記有機発光素子層への水分の侵入を防止する。
【００６６】
本実施形態による表示装置に使われる表示パネルはその形態に制限はないが、以下のような理由により有機電界発光表示パネルのものがより好ましい。
【００６７】
具体的に、液晶表示パネルの場合、積層されるレイヤが多く、別途の光源が配置された間接光源方式のバックライトが備えられなければならないので、音響発生アクチュエータ２００により直接振動される場合、液晶材料の方向性が揺れて、それによって画像の歪みが発生することがある。
【００６８】
一方、有機発光（ＯＬＥＤ）表示パネルの有機発光素子は自発光素子に該当して別途の光源を必要とせず、偏光レイヤ（ＰＯＬ）、ガラスレイヤ、エンカプセレーションレイヤ（Ｅｎｃａｐ．）などの種々のレイヤが１つのパネルに合紙されているので、音響発生アクチュエータ２００により直接振動されても有機発光層の発光特性に影響がほとんどないので画像の歪みが発生しない。したがって、本実施形態では有機発光表示パネルを使用することがより好ましい。
【００６９】
一方、本実施形態による表示装置に使われる表示パネルは一般的な構造を有するので、表示パネルに対するより具体的な説明は省略する。
また、本実施形態による表示装置は後面支持部であるカバーボトム３００またはミドルキャビネット５００と表示パネルとの間に配置されて発生した音波を伝達させる空間である中央領域の第１エアーギャップ空間７００（ＡＧ Ｃ）、左側領域の第２エアーギャップ空間７００’（ＡＧ Ｌ）、右側領域の第３エアーギャップ空間７００’’（ＡＧ Ｒ）を有する。
また、第１及び第２音分離隔壁部６００、６００’と共に第１乃至第３エアーギャップ空間を形成するためにバッフル部４００をさらに含むことができる。
【００７０】
即ち、図２に示すように、表示パネルとカバーボトム３００との間の４辺密閉型シーリング構造としてのバッフル部４００が形成され、そのバッフル部と第１及び第２音分離隔壁部６００、６００’により中央アクチュエータ２００の周囲には第１エアーギャップ空間７００（ＡＧ Ｃ）が形成され、左側音響発生アクチュエータ２００’の周囲には第２エアーギャップ空間７００’（ＡＧ Ｌ）が形成され、右側音響発生アクチュエータ２００’’の周囲には第３エアーギャップ空間７００’’（ＡＧ Ｒ）が形成される。
このような第１エアーギャップ空間７００乃至第３エアーギャップ空間７００’’は、中央アクチュエータ、及び左／右側アクチュエータにより表示パネルが振動する時、音響が発生する密閉空間として機能する。
この際、中央アクチュエータと左側アクチュエータ及び右側アクチュエータは、各々第１エアーギャップ空間（ＡＧ Ｃ）、第２エアーギャップ空間（ＡＧ Ｌ）、及び第３エアーギャップ空間（ＡＧ Ｒ）内で左右対称及び／又は上下対称の位置に配置されて、安定した低音及びステレオ音響特性を有することができるだけでなく、音響発生表示装置の耐久性及び信頼性を確保することができる。
【００７１】
本実施形態の第１及び第２音分離隔壁部６００、６００’は、表示パネルの上下方向に延びて中央領域で発生する低音と、左側領域及び右側領域で発生する中高音域帯域音響を分離する機能をする。
即ち、隣接する２つのエアーギャップ空間での表示パネル振動を中央で減殺または吸収することによって、両エアーギャップ空間の音響が他のエアーギャップ空間に伝達されることを遮断する機能をする。
このような第１及び第２音分離隔壁部６００、６００’は、一定の高さ（厚さ）と幅を有するポリウレタン（ＰＵ）またはポリオレフィン（ＰＯ）材質の両面テープまたは一面テープなどで構成されることができ、一定程度圧縮できる弾性を有することができる。
このような第１及び第２音分離隔壁部６００、６００’は、フォームパッド（Foam Pad）など、他の用語で表現されることもできる。
【００７２】
第１及び第２音分離隔壁部６００、６００’は、カバーボトム３００の上面と表示パネル１００の底面との間に配置され、少なくともカバーボトムの上面に接着されて固定される。
一方、第１及び第２音分離隔壁部６００、６００’は、上端面は表示パネルの底面と接触しなければならないが、表示パネルの底面とは接着されて固定されることもでき、表示パネルの底面に接着されていない状態で接触することもでき、このような第１及び第２音分離隔壁部６００、６００’の細部構成に対しては図１３を参考にして以下に詳細に説明する。
また、以下に説明するように、各アクチュエータ２００、２００’、２００’’は２つ以上のサブアクチュエータで構成されることもでき、サブアクチュエータは横方向及び縦方向に一定の距離離隔配置できる。
【００７３】
本明細書で、横方向または水平方向は表示装置の長辺方向を意味し、縦方向または垂直方向は表示装置の短辺方向を意味する。
バッフル部４００は、カバーボトムまたはミドルキャビネットの縁部に配置され、かつ表示パネルの底面と接着される接着部４１２と接着部の外郭に配置されて第１エアーギャップ空間７００乃至第３エアーギャップ空間７００’’の封入性をさらに提供するシーリング部４１４を含んで構成できる。
この際、接着部４１２は両面テープ（Double-side Tape）であって、図７でより詳細に説明するように、接着部４１２の高さよりシーリング部４１４の高さをより大きくすることができる。
このようなバッフル部の細部構造に対しては図７を参考しつつ以下に詳細に説明する。
【００７４】
図３は、本実施形態による中央及び左右側アクチュエータ２００、２００’、２００’’に使用できる２つタイプの音響発生アクチュエータの断面図である。
本実施形態に使われる中央及び左／右側アクチュエータ２００、２００’、２００’’は同一な形態を有することができ、以下では便宜上、中央アクチュエータを代表して説明するが、左右側アクチュエータにも適用できる。
中央アクチュエータ２００は、永久磁石であるマグネット２２０と、そのマグネットを支持するプレート２１０、２１０’と、プレートの中央領域に突出するセンターポール２３０と、前記センターポール２３０の周囲に囲むように配置されるボビン２５０と、ボビンの外郭に巻き取られて音響発生のための電流が印加されるコイル２６０などを含んで構成できる。
一方、本実施形態に使われる音響発生アクチュエータは、マグネットがコイルの外側に配置される第１構造と、マグネットがコイルの内側に配置される第２構造を両方とも含むことができる。
【００７５】
図３ａはマグネットがコイルの外側に配置される第１構造であって、ダイナミックタイプまたは外磁型と表現できる。
【００７６】
このような第１構造による音響発生アクチュエータは、下部プレート２１０がカバーボトム３００に形成される支持孔３１０に固定され、下部プレートの外郭に環状の永久磁石であるマグネット２２０が配置される。
【００７７】
マグネット２２０の上部には上部プレート２１０’が配置され、上部プレートの外郭には上部プレートから突出形成される外部フレーム２４０が配置される。
【００７８】
一方、下部プレート２１０の中央領域にはセンターポール２３０が突出して配置され、センターポール２３０の周囲を囲むボビン２５０が配置される。
【００７９】
ボビン２５０の下側部の周囲にはコイル２６０が巻き取られており、このコイルに音響発生用電流が印加される。
【００８０】
一方、ボビンの上側の一部と外部フレーム２４０との間にはダンパ２７０が配置できる。
【００８１】
下部プレート２１０及び上部プレート２１０’は、マグネット２２０を支持しながら音響発生アクチュエータ２００をカバーボトム３００に固定させる構成であって、下部プレート２１０は、図３ａに示すように円形に備えられ、前記下部プレート２１０上にリング形状に備えられたマグネット２２０が備えられ、マグネット上に上部プレート２１０が備えられる。
【００８２】
そして、下部プレート２１０及び上部プレート２１０がカバーボトム３００に結合されることによって、下部プレート２１０と上部プレート２１０’との間に位置したマグネット２２０が固定支持できる。
【００８３】
プレートは、鉄（Ｆｅ）のように磁性を有する物質からなることができる。プレートはその用語に限定されるものではなく、ヨークなど、他の用語で表現できる。
【００８４】
一方、センターポール２３０と下部プレート２１０とは一体形成されることもできる。
【００８５】
ボビン２５０は紙またはアルミニウムシートなどで形成される環状構造物であって、ボビンの下側の一定領域の周囲にコイル２６０が巻き取られる。このようなボビンとコイルとを合せてボイスコイルと表現されることもできる。
【００８６】
コイルに電流が印加されれば、コイルの周囲に磁場が形成され、マグネット２２０により形成される外部磁場があるため、フレミングの法則に従って、ボビンの全体がセンターポールによりガイドされながら上側に移動する。
【００８７】
一方、ボビン２５０の先端部は表示パネル１００の後面に接触しているため、電流印加及び非印加状態によって表示パネルを振動させるようになり、このような振動により音波が発生する。
【００８８】
マグネット２２０はバリウムフェライトなど、焼結磁石を用いることができ、材質は酸化第２鉄（Ｆｅ２Ｏ３）、炭酸バリウム（ＢａＣＯ３）、磁力成分が改善されたストロンチウムフェライト、アルミニウム（Ａｌ）、ニッケル（Ｎｉ）、コバルト（Ｃｏ）の合金鋳造磁石などが使用できるが、それに限定されるものではない。
【００８９】
一方、ボビン２５０の上側の一部と外部フレーム２４０との間にはダンパ２７０が配置され、ダンパ２７０は蛇腹構造で備えられて、ボビンの上下運動によって収縮及び弛緩しながら前記ボビンの上下振動を調節する。即ち、ダンパ２７０がボビン２５０と外部フレーム２４０に各々連結されているので、ボビンの上下振動はダンパ２７０の復原力により制限され、具体的に、ボビン２７０が一定高さ以上に振動するか、または一定高さ以下に振動する場合、ダンパ２７０の復原力によりボビンが原位置に原状復帰できる。
【００９０】
このようなダンパはエッジなど、他の用語で表現できる。
【００９１】
一方、図３ｂはマグネットがコイルの内側に配置される第１構造であって、マイクロタイプまたは内磁型と表現できる。
【００９２】
このような第２構造による音響発生アクチュエータは、下部プレート２１０がカバーボトム３００に形成される支持孔３１０に固定され、下部プレートの中央領域にマグネット２２０が配置され、マグネットの上部にセンターポールが延長形成される。
【００９３】
上部プレート２１０’は下部プレートの外郭の周辺に突出形成され、上部プレートの外側には外部フレーム２４０が配置される。
【００９４】
マグネット２２０とセンターポール２３０の周囲を囲むようにボビン２５０が配置され、ボビンの外郭にはコイル２６０が巻き取られる。
【００９５】
また、外部フレーム２４０とボビンとの間にはダンパ２７０が配置される。
【００９６】
このような第２方式の音響発生アクチュエータは、マグネットが外側に配置される第１方式に比べて漏洩磁束が小さく、全体的なサイズを小さくすることができるが、大きい電流入力による磁束減少現象が生じることがあり、製造が難しいという特徴がある。
【００９７】
本実施形態では、第１方式または第２方式によるアクチュエータ全てが使われることができ、便宜上、以下では第１方式による構造を代表して説明する。
【００９８】
また、本実施形態による表示装置に使われる音響発生アクチュエータは、図３に図示した形態に限定されるものではなく、電流印加によって表示パネルを上下に振動させて音響を発生できる限り、異なる種類のアクチュエータが使われてもよい。
【００９９】
図４は、本発明の実施形態による音響発生アクチュエータが表示パネルを振動させて音響を発生する状態を図示する。
【０１００】
図４ａは電流が印加された状態であって、マグネットの下面と連結されたセンターポールがＮ極となり、マグネットの上面と連結された上部プレートがＳ極となって、コイルの間に外部磁場が形成される。
【０１０１】
この状態で音響発生用電流がコイルに印加されれば、コイルの周囲に印加磁場が生成されるが、印加磁場と外部磁場によりボビンを上側に移動する力が発生する。
【０１０２】
したがって、図４ａのようにボビンが上側に移動し、ボビンの先端部に接触している表示パネルが上側に振動する。
【０１０３】
この状態で電流印加が中止されるか、または反対方向の電流が印加されれば、図４ｂのように、類似の原理によってボビンを下側に移動させる力が発生し、したがって、表示パネルが下側に振動する。
【０１０４】
このように、コイルへの電流印加方向とサイズによって、表示パネルが上下に振動するようになり、このような振動により音波が発生する。
【０１０５】
図５は、本発明の実施形態による音響発生アクチュエータと表示装置の支持構造であるカバーボトムとの結合状態の一例を図示する。
【０１０６】
図６は、音響発生アクチュエータとカバーボトムとの結合構造に対する他の実施形態を図示する。
以下では、同一な構造である中央アクチュエータ２００と、左側アクチュエータ２００’、及び右側アクチュエータ２００’’のうちの１つを代表して音響発生アクチュエータとして表現するようにし、それは残りの音響発生アクチュエータにも同一に適用できる。
【０１０７】
本実施形態による音響発生アクチュエータ２００は、表示装置の支持構造であるカバーボトムまたはバックカバー上に形成された支持孔に貫通支持されることができ、図５乃至図６は種々の支持構造を図示する。
【０１０８】
図５の支持構造では、カバーボトム３００には支持孔３１０が貫通形成され、音響発生アクチュエータ２００の下部プレート２１０とマグネット２２０及び上部プレート２１０’のうちの１つ以上がその支持孔の内部に収容されるように挿入される。
【０１０９】
下部プレート２１０の底面には下部プレートの外側に延長形成される延長部２１２がさらに形成され、このような延長部２１２がカバーボトム３１０の底面に固定されることによって、音響発生アクチュエータ２００をカバーボトムに取り付けることができる。
【０１１０】
このように、音響発生アクチュエータ２００をカバーボトムに形成された支持孔に挿入される形態に固定すれば、表示パネルとカバーボトムとの間の距離を減少させることができるので、表示装置の厚さを小さくすることができる効果がある。
【０１１１】
即ち、表示パネルとカバーボトムとの間には表示パネルが振動することができる空間である第１エアーギャップ空間及び第２エアーギャップ空間が存在しなければならないが、音響発生アクチュエータをカバーボトムの支持孔に挿入／固定される形態に構成すれば、表示パネルの後面とカバーボトムの内面との間に配置される音響発生アクチュエータの高さを小さくすることができるので、エアーギャップを最小化することができる。
一方、本実施形態によれば、カバーボトム３１０には、左側アクチュエータ２００’、中央アクチュエータ２００、及び右側アクチュエータ２００’’が各々挿入されて支持される第１支持孔、第２支持孔、及び第３支持孔を含むことができる。
【０１１２】
図５は、音響発生アクチュエータをカバーボトムに固定するに当たって、カバーボトムの後面にねじ孔を形成し、下部プレートの延長部２１２に形成された貫通孔を通じてボルト３２０またはねじをカバーボトムのねじ孔に締結して固定する方式である。
【０１１３】
一方、図６ａは単純なねじ結合形態でなく、カバーボトム３００と下部プレートの延長部２１２との間に一定の距離を確保することができるペムナット（Pem Nut）３３０、またはセルフクリンチングナット（self clinching nut）を配置した後、ボルト３２０により固定する方式である。
【０１１４】
図６ａのように、ペムナット（Pem Nut）３３０、またはセルフクリンチングナット（self clinching nut）を用いると、音響発生アクチュエータとカバーボトムとの間に一定の空間が確保されるので、アクチュエータの振動がカバーボトムに伝達されることを最小化することができる長所がある。
【０１１５】
また、図６ｂでは、アクチュエータの下部プレートの延長部２１２とカバーボトムとの間に両面テープ（Double Side Tape）のような接着部材を配置して接着固定する方式である。
【０１１６】
図６ｂのように、接着部材を用いる場合、接着部材の弾性と厚さを適切に調節すれば、接着部材が一種のダンパの役割をするようになり、したがって、アクチュエータの振動がカバーボトムに伝達されることを最小化することができる長所がある。
【０１１７】
図５及び図６のように、表示パネルと接触して表示パネルを直接振動させる音響発生アクチュエータ２００をカバーボトムに形成された支持孔に挿入固定する方式を採択することによって、アクチュエータが表示装置の内部に完全に収容される場合に比べて表示装置の厚さを減少させることができる効果を有することができる。
【０１１８】
図７は、振動板としての表示パネルとカバーボトムとの間に配置されて全体エアーギャップ空間の縁を画定するバッフル部の一例を図示する。
勿論、以下で説明するバッフル部は必ずミドルキャビネット５００と表示パネルとの間に形成される必要はないし、図１４ａのようにバッフル部が表示装置の外郭より内側に形成される場合には、バッフル部は表示パネルとカバーボトムとの間に配置できる。
【０１１９】
図７ａに示すように、本実施形態によるパネル振動型音響発生装置では、表示パネル１００と支持構造（カバーボトム３００など）との間に右側音響発生アクチュエータ２００’’によりパネルが振動することができる空間である第３エアーギャップ空間７００’’（ＡＧ Ｒ）を確保しなければならない。
【０１２０】
また、表示パネルが振動する時、音波が発生できるように表示パネルの一側が表示パネルの支持構造に接合されなければならず、特に発生した音響が表示装置の側面などを通じて外部に漏洩されてはならないので、このような目的のために、本実施形態による表示装置では表示パネルの下面と支持構造との間に一定のバッフル部４００を形成する。
【０１２１】
より詳しくは、音響発生アクチュエータの周囲の一定の区画（即ち、エアーギャップ空間）が画定され、その区画の縁部には表示パネルの下面とミドルキャビネットまたはカバーボトムの上面との間でバッフル部が配置されるものである。
【０１２２】
この際、バッフル部４００は表示パネルの底面と表示装置の支持構造の上面との間に接着される両面テープのような接着部材４１２と、接着部材の外郭にさらに配置されるシーリング部４１４とを含んで構成できる。
【０１２３】
この際、バッフル部が形成される区画は表示パネルの外郭の４個の辺として画定される全体表示パネル領域でありうるが、それに限定されるものではなく、図１４ａなどで説明するように、表示パネル外郭の内側に４辺を有する領域として画定できる。
【０１２４】
図７のように、表示装置の支持構造は表示パネルの後面全体をカバーするカバーボトム３００の以外に、カバーボトムに結合され、表示パネルの一部を安着するためのミドルキャビネット５００をさらに含むことができる。
【０１２５】
ミドルキャビネット５００は表示パネルの外郭に沿って形成されるフレーム形態の部材であって、表示パネルの一部が安着する水平支持部５０２と、前記水平支持部から両側に折曲形成されてカバーボトムの側面及び表示パネルの側面をカバーする垂直支持部５０４を含んで全体的にＴ字断面形状を有することができる。
【０１２６】
このようなミドルキャビネット５００は、表示装置またはセット装置の側面外観部を構成し、場合によっては使われないか、またはカバーボトムと一体形成できる。
【０１２７】
図７の実施形態によれば、バッフル部４００を構成する接着部材４１２はミドルキャビネット５００の水平支持部の上面と表示パネルとの間に配置される両面テープであって、表示パネルの下面をミドルキャビネットに接着固定する機能をする。
【０１２８】
また、バッフル部を構成するシーリング部４１４は接着部材の外郭にさらに配置され、接着部材の厚さまたは高さより大きい厚さまたは高さを有することが好ましい。
【０１２９】
シーリング部４１４は弾性の大きいゴムなどの材質で構成されることができ、図７ｂに示すように、接着部材４１２の厚さ（ｔ１）より大きい厚さｔ２を有する。
【０１３０】
即ち、図７ｂのように、ミドルキャビネット５００の水平支持部５０２の上面の内側部分に厚さｔ１を有する両面テープである接着部材４１２の一面を接着配置し、接着部材の外郭にｔ１より大きい厚さを有する弾性材料のシーリング部４１４を配置する。
【０１３１】
その状態で、表示パネル１００を接着部材４１２の他接着面に付着させれば、より大きい厚さを有するシーリング部４１４が一定程度圧迫されながら表示パネルとミドルキャビネットとが接着される。（図７ｃ）
【０１３２】
したがって、右側アクチュエータ２００’’の周囲の第３エアーギャップ空間７００’’（ＡＧ Ｒ）の封入性がより向上できる。
【０１３３】
図７ｃのように、ミドルキャビネットの水平支持部５０２と接着部材４１２の厚さだけの第３エアーギャップ空間７００’’（ＡＧ Ｒ）が形成されながら表示パネル１００とカバーボトム３００とが結合されることによって、表示パネルが音響を発生させることができる振動空間を確保することができると共に、内部で発生した音波が表示装置の側面に沿って外部に流出することを防止することができる。
【０１３４】
特に、エアーギャップ空間の縁部に配置されるバッフル部４００を接着部材４１２とシーリング部４１４の二重構造にし、かつシーリング部の厚さをより大きく形成することによって、エアーギャップ空間の封入性をより向上させて音響の流出をさらに遮断することができる効果がある。
【０１３５】
本明細書でのミドルキャビネット５００は、ガイドパネル（Guide Panel）、プラスチックシャーシ、ｐ−シャーシ、サポートメイン、メインサポート、モールドフレームなど、他の表現に取り替えることができ、多数の折曲部がある断面形状を有する四角フレーム形状の構造物であって、カバーボトムに連結されて表示パネル及びバッフル部を支持するために使われる全ての形態の部材を含むものとして理解されるべきである。
【０１３６】
一方、カバーボトムと表示パネルとの間を支持するためにミドルキャビネットが使用できるが、このようなミドルキャビネットは必ず必要な構造ではない。
【０１３７】
即ち、表示装置がミドルキャビネット無しでカバーボトムまたはバックカバーのみの支持構造を有するか、または図１４ａのように第１または第２エアーギャップ空間が表示装置の外郭の内側の一部領域に画定される場合には、図７で説明したバッフル部はカバーボトムの上面と表示パネルの底面との間に配置できる。
この時には、両面テープ形態の接着部材４１２がカバーボトムの上面の一部に配置され、接着部材の厚さより大きい厚さを有するシーリング部４１４が接着部材の外側に配置できる。
この状態で表示パネル１００がカバーボトムと結合されれば、シーリング部４１４が圧着されながら音響伝達のためのエアーギャップ空間７００’’の封入性が確保できる。
本実施形態で、エアーギャップ空間の厚さ、即ちエアーギャップ空間での表示パネルとカバーボトムとの間の距離（Ｔ）は約０．８~２．５ｍｍに定まることができるが、それに限定されるものではなく、表示パネルの振動程度などによって他の範囲に定まることができる。
【０１３８】
図８ａは左側及び右側アクチュエータのみを含む２チャンネル音響具現表示装置の平面図であり、図８ｂは図８ａの表示装置と本実施形態による表示装置の音響発生特性を図示するグラフである。
図８は、本実施形態と対比される表示装置と、それと比較した本実施形態による表示装置の音響発生特性を示す。
【０１３９】
図８ａは中央領域無しで左右側領域のみ区分し、左側領域及び右側領域に各々左側アクチュエータを配置し、かつ左側領域と右側領域とを区分するための１つの音分離隔壁部を配置した例を図示する。
即ち、図８ａの表示装置は中央低音領域無しで左右側ステレオ音響のみを提供する２チャンネルタイプの表示装置である。
【０１４０】
図８ｂの点線は図８ａによる２チャンネルタイプの表示装置の音域帯別音圧特性を示すものであって、低音域帯の音圧が比較的低いことを確認することができる。
このような低音弱化現象を克服するために振動板である表示パネルを大きくすれば低音の共鳴周波数は減少するが、中高音域帯の周波数帯域やはり低くなる問題がある。
また、低音を出力する別途のスピーカーを表示装置またはセット装置の一定位置にさらに配置する方案を考慮することができるが、このような場合、低音域帯はセット装置の後方や下部に出力される一方、中高音域帯は表示パネルで発生して、各周波数帯域の音の発生位置が相異になるので没入感を落とすことがある。
【０１４１】
一方、図８ｂの実線は本発明の一実施形態のような２．１チャンネルタイプの表示装置の音域帯別音圧特性を図示するものであって、図８ａと比較する時、低音域帯、特に３００Ｈｚ以下の周波数帯域の音圧が増加することを確認することができ、５ｋＨｚ以上の高音域帯の音圧やはり図８ａの実施形態より増加することを確認することができる。
このように、本実施形態のような２．１チャンネルタイプの音響発生表示装置を用いると、左右側ステレオのみ具現した２チャンネルタイプの表示装置に比べて、低音域帯及び高音域帯音響特性が改善されることができ、低音及び中高音全て同一な表示パネルで発生することによって、没入感を向上させることができる。
【０１４２】
図９は、本実施形態による表示装置で、音分離隔壁部で反射される反射音波により発生する定在波と、それによる音響特性弱化現象を図示する。
図９のように、各アクチュエータによって表示パネルが振動することによって発生する音波は、アクチュエータ中央から放射状に広がりながら進行し、このような音波を便宜上、進行波と表現する。
【０１４３】
この際、進行する音波は音分離隔壁部またはバッフル部に合う場合、その音分離隔壁部及びバッフル部で反射されて反対方向に進行する反射波を形成する。
このような反射波は、進行波と重畳及び干渉されて、重畳された音波が進行できず、一定の位置に停滞されている、いわゆる定在波（standing wave）を形成し、このような定在波により音圧が減少して音響出力特性が悪くなることがある。
【０１４４】
即ち、図９に示すように、中央アクチュエータからの進行波Ａと第２音分離隔壁部６００’で反射された反射波（Ｂ）により定在波が発生し、それによって低音特性が悪くなることがある。
また、中央領域（Ｃ）の隅領域でも進行波Ｄ、Ｅが斜めに反射されることで、このような音質劣化現象が発生できる。
【０１４５】
特に、低音を担当する中央アクチュエータ２００の出力がより大きく、音分離隔壁部までの距離が近いため、中央領域の水平方向地点（図９の点線表示領域）で発生する定在波が最も大きくなる。
即ち、左側領域または右側領域でも前記のような定在波による音質弱化現象が発生するが、中央領域の低音域帯音波が波長が長く、振幅が大きいので、定在波による影響をより大きく受ける。
【０１４６】
ここに、本発明の他の実施形態では、図１０及び図１１に示すように、音分離隔壁部の形状を変更することによって、このような定在波による音質劣化現象を最小化するようにする。
図１０は本発明の他の実施形態による表示装置であって、定在波による影響を最小化するために、音分離隔壁部が折曲部を含む構造を図示する。
【０１４７】
図１０の実施形態によれば、第１及び第２音分離隔壁部１６００、１６００’は、単純な直線形態でなく、中間に折り曲げられた折曲部１６１０を含む形態を有する。
この際、第１及び第２音分離隔壁部１６００、１６００’の折曲部１６１０は、低音用中央アクチュエータ２００の中心と同一な垂直位置を有することが好ましい。
【０１４８】
即ち、第１及び第２音分離隔壁部１６００、１６００’の折曲部１６１０の先端位置は、中央アクチュエータ２００の中心（Ｐ）と同一な水平ラインに配置できる。
このように、第１及び第２音分離隔壁部１６００、１６００’に折曲部が形成されれば、図１０に示すように、中央アクチュエータ２００から水平方向に進行した進行波（Ｂ’）が上下に斜めに反射されることで、進行波（Ｂ’）と反射波（Ｂ’’）との重畳による定在波の形成が最小化される。
したがって、前述した定在波による低音特性劣化が改善できる。
【０１４９】
前述したように、中高音用左右側アクチュエータで発生する音波より中央領域の低音域帯音波が波長が長く、振幅が大きいため、定在波による影響をより大きく受ける。
したがって、図１０のように第１及び第２音分離隔壁部１６００、１６００’が中央アクチュエータ２００の中心に向けて折り曲げられた折曲部１６１０を有することによって、低音域帯音響の定在波による音質劣化を最小化できるようになる。
【０１５０】
このような第１及び第２音分離隔壁部１６００、１６００’の折曲部は、図１０ａのように、必ず直線が折り曲がれる形態である必要はないし、図１０ｂのように曲線形態の折曲部１６１０’を含むこともできる。
しかしながら、前述したように、第１及び第２音分離隔壁部１６００、１６００’は両面テープなどで構成されるため、図１０ｂのような曲線形態の折曲部１６１０’より図１０ａのような折った直線形態の折曲部１６１０が製作がより容易であるという長所がある。
【０１５１】
即ち、図１０ａのように、第１及び第２音分離隔壁部１６００、１６００’は垂直方向と一定の角度を有しながら延びる第１直線部１６０５及び第２直線部１６０５’と、第１直線部及び第２直線部の間に折った部分で形成される折曲部１６１０を有することが組立上、より有利でありうる。
【０１５２】
図１１は本発明の更に他の実施形態であって、中央アクチュエータまたは左右側アクチュエータなどが２以上の離隔したサブアクチュエータを備える構造と、その音分離隔壁部の形状を図示する。
図２の実施形態では各アクチュエータが１つの単一アクチュエータで構成した例を説明したが、図１１の実施形態では中央アクチュエータまたは左右側アクチュエータのうち、１つ以上を２以上の離隔配置されたサブアクチュエータを含むことができる。
例えば、中央アクチュエータ１２００は、図１１ａに示すように、中央領域（Ｃ）の中央に配置される単一アクチュエータで構成されるか、または図１１ｂに示すように、水平方向に隣接配置される２つの中央サブアクチュエータ１２００−１、１２００−２で構成できる。この際、左側の中央サブアクチュエータ１２００−１を第１アクチュエータ、右側の中央サブアクチュエータ１２００−２を第６アクチュエータと表現することができる。
また、左側アクチュエータは左側領域（Ｌ）内で上下方向に一定距離離隔配置される２つの左側サブアクチュエータ１２００’−１、１２００’−２で構成されることができ、右側アクチュエータやはり対称的な構成を有することができる。
【０１５３】
この際、第１または第２音分離隔壁部２６００、２６００’は３個の折曲部を有する形態に形成されることができ、各折曲部は図１１ａのような直線折曲部または図１１ｂのような曲線折曲部で形成できる。
第１音分離隔壁部２６００を基準に説明すると、中央の第２折曲部２６２０は中央アクチュエータの中心（Ｐ）に向かい、上部の第１折曲部２６１０は上部に配置される左側サブアクチュエータ１２００’−１の中心に向かい、下部の第３折曲部２６３０は下部に配置される左側サブアクチュエータ１２００’−２の中心に向かうように形成できる。
即ち、第１乃至第３折曲部２６１０、２６２０、２６３０の先端地点は、各々上部の左側サブアクチュエータ１２００’−１、中央アクチュエータ１２００、及び下部の左側サブアクチュエータ１２００’−２の中心と同一な垂直位置を有する。この際、上部の左側サブアクチュエータ１２００’−１及び下部の左側サブアクチュエータ１２００’−２は、各々第１アクチュエータ及び第４アクチュエータと表現されることができ、同様に上部の右側サブアクチュエータ１２００’’−１及び下部の右側サブアクチュエータ１２００’’−２は各々第３アクチュエータ及び第５アクチュエータと表現できる。
【０１５４】
同様に、表示パネルの右側の第２音分離隔壁部２６００’やはり第４折曲部、第５折曲部、及び第６折曲部を有し、中央の第５折曲部は中央アクチュエータの中心（Ｐ）に向かい、上部の第４折曲部は上部に配置される右側サブアクチュエータ１２００’’−１の中心に向かい、下部の第６折曲部は下部に配置される右側サブアクチュエータ１２００’’−２の中心に向かうようにジグザグ形態に配置できる。
このような構成を有する場合、図１１ａに示すように、中央アクチュエータ１２００で水平方向に進行した進行波は第２折曲部２６２０で上下に分散反射され、各々の左側サブアクチュエータ１２００’−１、１２００’−２で水平方向に進行した進行波は各々第１折曲部２６１０及び第３折曲部２６３０で分散されて反射されることで、全ての音域帯で定在波の形成が抑制できる。
【０１５５】
このように、図１１のような実施形態では、左／右側アクチュエータを上下に離隔配置される２つのサブアクチュエータで構成し、音分離隔壁部が各アクチュエータに向かう３個の折曲部を有するジグザグ形態に構成することによって、低音及び中高音域帯域全てで定在波による音質特性弱化を最小化することができる効果がある。
【０１５６】
図１２は本発明の更に他の実施形態であって、低音特性を向上させ、放熱機能を有する金属プレートをさらに含む実施形態を図示する。
図１２の実施形態による表示装置では、中央アクチュエータ２００の周囲に配置される金属プレート８００をさらに含む。
【０１５７】
このような金属プレート８００は、一定の質量を有しながら熱伝導性を有する板状部材であって、中央領域（Ｃ）の表示パネルの一部に付着されることができ、中央アクチュエータを中心に置いて配置できる。
音響発生振動板の強度をｓ、重さをｍとする時、そのような振動板の振動により発生する音波の最低共鳴振動数ｆ０は、以下の＜数式１＞により決定される。
【数１】
2018093469.tif 000003
【０１５８】
したがって、前述した金属プレート８００を用いると、＜数式１＞で振動板の重さが増加して結果的に発生音波の振動数（周波数）を減少させて低音特性をさらに向上させることができる。
また、中高音用左右側アクチュエータに比べて中央アクチュエータは強い出力によって内部で一定以上の熱が発生することがあるが、金属プレート８００がそのような熱を一定程度吸収することができる。
特に、表示パネル１００が有機発光表示パネル（ＯＬＥＤ）の場合、内部に配置される有機発光材料が熱に特に脆弱であるので、中央アクチュエータ２００で発生した熱が有機発光材料に伝達される場合、性能劣化が発生する可能性がある。
【０１５９】
したがって、図１２の実施形態による金属プレート８００が中央アクチュエータ２００で発生する熱を放出するヒットシンクまたは熱放出部材として機能することによって、表示パネルの性能弱化を防止することができる。
このような金属プレート８００は、アルミニウムなどの金属材料で形成できるが、それに限定されるものではなく、熱伝導性と一定の質量を有する材料であれば、充分である。
また、金属プレート８００の厚さ、大きさなどは、前述した＜数式１＞による低音補強程度によって適切に選択できる。
また、金属プレート８００は中央アクチュエータを中心に対称的に配置されることによって、中央領域で振動板の均一な振動を可能にすることが好ましい。
【０１６０】
図１３は、本実施形態による音分離隔壁部の細部構成を図示し、前述したように、第１及び第２音分離隔壁部のうち、第１音分離隔壁部６００を代表として説明する。
図１３に示すように、本実施形態の第１音分離隔壁部６００は表示パネルの上下方向に延長され、かつ表示パネル１００と後面支持部であるカバーボトム３００との間に配置される隔壁構造物であって、左側アクチュエータ２００’で発生する中高音域帯音響と中央アクチュエータ２００で発生する低音域帯音響を分離することによって、両音響の干渉などによる音響特性の低下を防止するためのものである。
このような第１音分離隔壁部６００は、フォームパッドまたは一面／両面テープで構成されることができ、少なくともカバーボトムの上面には接着されなければならず、表示パネルの底面とは接着または非接着形態に接触できる。
【０１６１】
また、第１音分離隔壁部６００は低音及び中高音域帯音響の音分離機能と共に低音放出特性を向上させるために、表示パネルの底面には非接着形態に接触することができ、第１音分離隔壁部６００の高さ（Ｈ１）は表示パネル１００とカバーボトム３００との間の間隔（Ｔ）、即ち第１乃至第３エアーギャップ空間７００、７００’、７００’’の厚さと等しいか大きいことがある。
一方、第１音分離隔壁部６００の上端面は表示パネルの底面と接触しなければならないが、表示パネルの底面とは接着されて固定されることもでき、表示パネルの底面に接着されていない状態で接触することもできる。
【０１６２】
即ち、図１３ａの実施形態では第１音分離隔壁部６００がカバーボトム３００の上面に接着される下部接着層６１０と、表示パネルの底面に接着される上部接着層６１０’と、２つの接着層の間に配置される隔壁層６２０を含んで構成され、このような音分離隔壁部はカバーボトムの上面と表示パネルの底面全てに接着固定できる。
図１３ａのように、第１音分離隔壁部６００がカバーボトム３００と表示パネル１００全てに接着される形態では、隣接するエアーギャップ空間の振動をほとんど吸収して他のエアーギャップ空間に伝達しないので、低音と中高音の音分離特性に優れるという長所がある。
しかしながら、図１３ａの構造では第１エアーギャップ空間（ＡＧ Ｃ）及び第２エアーギャップ空間（ＡＧ Ｌ）の振動が完全に分離されるので、振動板の大きさが小さくなって低音域帯音圧が減少できる。
【０１６３】
図１３ｂの実施形態による第１音分離隔壁部６００は、カバーボトム３００の上面に接着される下部接着層６１０と、下部接着層の上部に配置される隔壁層６２０のみを含んで構成することによって、カバーボトムの上面のみに接着され、表示パネルの底面には非接触式により接触できる。
即ち、音分離隔壁部６００の隔壁層の上端面は表示パネルの底面に接触するが、接着されない。
図１３ｂの実施形態によれば、音分離隔壁部が表示パネルに接着されていない状態で接触することによって、中高音域音響出力のために弱い振動をする場合には、その振動をほとんど吸収することによって、低音及び中高音の音分離機能をすると共に、低音域帯の強い振動がある場合には、振動減殺量を減らして低音特性が維持できるようにする。
即ち、図１３ｂの実施形態によれば、中高音域帯では音分離特性を確保し、低音域帯では振動板を大きく活用して低音域帯の音圧減少を最小化することができる。
また説明すると、図１３ｂの実施形態によれば、中高音域帯音響出力のために表示パネルが弱く振動する場合には、音分離隔壁部が振動をほとんど吸収して低音と左側中高音の音分離特性を維持するようになり、低音域帯音響出力のために振動板が強く振動する場合には、音分離隔壁部がその振動の一部だけを吸収するようにすることで、表示パネル全体を振動板として活用して低音特性が維持できるようになる。
【０１６４】
図１３ｃに示すように、第１音分離隔壁部６００は表示パネルとカバーボトムとの間のギャップ（Ｔ）より大きい高さＨ１を有することができる。
即ち、図１３ｃに示すように、表示パネル１００がカバーボトム３００に結合された状態で表示パネルとカバーボトムとの間のギャップをＴとする時、第１音分離隔壁部６００の高さＨ１は表示パネルとカバーボトムとの間のギャップＴと等しいか大きいことがある。
ここで、第１音分離隔壁部の高さＨ１は第１音分離隔壁部が表示パネルとカバーボトムとの間に取り付けられる以前状態の高さを意味する。
したがって、第１音分離隔壁部６００は表示パネルとカバーボトムとの間のギャップを完全に埋めて第１音分離隔壁部の上端面が表示パネルの底面に接触するようになり、表示パネルとカバーボトムの組立時、第１音分離隔壁部６００が一定程度圧縮できる。
このように、第１音分離隔壁部６００の高さＨ１を表示パネルとカバーボトムとの間のギャップ（Ｔ）より大きいようにすることで、前述したような音分離隔壁部による音分離特性を向上させることができる。
【０１６５】
一方、第１音分離隔壁部６００の高さＨ１と表示パネルとカバーボトムとの間のギャップＴとの間の差が大きい場合には、音分離特性は良くなり、音の歪曲（Distortion）が小さくなるが、低音域帯の音圧が減少することがあり、反対に、音分離隔壁部６００の高さＨ１と表示パネルとカバーボトムとの間のギャップＴとの間の差がほとんどない場合には、低音域帯の音圧減少は最小化されるが、音分離特性が多少低下することがある。
したがって、表示パネルとカバーボトムとの間のギャップＴに対する第１音分離隔壁部６００の高さＨ１を適切に選択することによって、音分離特性を維持しながらも、低音域帯音圧減少及び音の歪曲現象を最小化することができる。
一方、第１音分離隔壁部６００は一定の幅Ｗを有し、このような音分離隔壁部の幅Ｗは約８〜１２ｍｍに決定できる。
第１音分離隔壁部の幅Ｗが大きくなれば音分離特性は優れるになるが、結果的に、左右振動板を減少させて音響出力量を減少させることができ、幅Ｗが小さければ必要な音分離特性を維持できなくなる。
したがって、本実施形態では第１音分離隔壁部の幅Ｗを約８〜１２ｍｍに設定することによって、音分離特性を維持しながらも音圧減少を最小化することができる。
【０１６６】
図１４は本発明の他の実施形態に関するものであって、図１４ａはバッフル部が表示パネルの内側に配置される構造を例示し、図１４ｂは音分離隔壁部が多重隔壁構造を有する例を図示する。
図１５は音分離隔壁部の他の実施形態であって、３重隔壁構造を有する音分離隔壁部を図示する。
【０１６７】
前述した実施形態ではバッフル部４００が表示パネルの縁部に沿って配置される構成を例示したが、必ずこのような構成に限定されるものではなく、図１４ａのように、バッフル部１４００が表示パネルの内側に配置されることもできる。
この際、バッフル部１４００はミドルキャビネット５００と分離されて表示パネル１００とカバーボトム３００との間に配置されることができ、前述したように、接着部材とその外郭のシーリング部材を含む二重構造でありうる。
各アクチュエータは、中央領域、左側領域、及び右側領域の中央に配置される場合が最も理想的でありうる。
即ち、前記のように、アクチュエータが該当領域の真ん中に配置されれば、上下左右振動空間の大きさが全て同一であるので、振動特性が最も優れるということである。
【０１６８】
しかしながら、表示パネルの大きさに従って中央領域と左右側領域が正方形にならないことがある。
このような場合、図１４ａのように、バッフル部１４００を表示パネルの縁部でないその内側に配置することによって、中央領域及び左右側領域を正方形に形成し、各領域の上下左右対称である位置に各アクチュエータを配置できるようになる。
このように、中央アクチュエータ２００及び左右側アクチュエータ２００’、２００’’が各々中央領域（Ｃ）、左側領域（Ｌ）、及び右側領域（Ｒ）の真ん中に配置できるようにバッフル部及び音分離隔壁部の位置を設定することによって、ステレオ音響具現特性を向上させることができるだけでなく、偏振動を防止して表示装置の耐久性及び音響出力の信頼性を向上させることができる。
【０１６９】
また、図１４ｂに示すように、第１音分離隔壁部を２つのサブ音分離隔壁部３６００−１、３６００−２、またはサブ隔壁部を含む二重隔壁構造または多重隔壁構造で具現することもできる。
一般に、中央領域で発生する低音の共鳴振動数（周波数）と左右側領域で発生する中高音の共鳴振動数には差があり、このような相異する周波数を有する音波が干渉するので、相互間の音響特性に悪い影響を及ぼす可能性がある。
したがって、中央領域と左右側領域の音分離特性をより確実にするために、図１４ｂのように同一な構造の２以上のサブ音分離隔壁部を一定距離離隔するように平行に配置する二重隔壁構造を採択することができる。
この際、多数のサブ音分離隔壁部の間の距離が大きくなるほど音分離特性は向上するが、各領域の振動領域が減少するので、音圧が減少する可能性があるので、多数のサブ音分離隔壁部の間の距離ｄ１は約５〜１５ｍｍに設定されることが好ましい。
即ち、図１４ｂのように、第１音分離隔壁部を二重隔壁構造で構成し、かつ多数のサブ音分離隔壁部の間の距離ｄ１は約５〜１５ｍｍに設定することによって、音圧を減少させないながらも低音と中高音領域の音分離特性をより向上させることができる。
【０１７０】
また、他の実施形態によれば、表示パネルは行方向（Row direction）及び列方向（Column direction）として画定されるピクセルマトリックスを含み、多数のアクチュエータは前記行方向及び列方向のうち、少なくとも１つと整列できる。この際、１以上の隔壁部または隔壁は列方向（Column direction）に延びることができ、左側領域及び右側領域には各々２つ以上のアクチュエータが配置され、かつ２つ以上のアクチュエータは該当領域内で行方向（Row direction）または列方向（Column direction）に整列できる。
【０１７１】
以上のように、本実施形態によれば、表示パネルの中央領域に低音用アクチュエータを配置し、中央領域の左側領域及び右側領域に各々左側及び右側中高音用アクチュエータを配置し、各アクチュエータが該当する領域の表示パネルを振動させて音響を発生させることによって、広い音域帯で優れる音響特性を有する表示装置を提供することができる。
より具体的に、表示パネルの中央領域に配置される低音用中央アクチュエータと、前記中央領域の左側領域及び右側領域に中高音用左側及び右側アクチュエータを配置し、中央領域と左側領域及び中央領域と右側領域との間に配置される音分離隔壁部と、前記中央領域と左右側領域の縁部に沿って配置されるバッフル部を備えることによって、優れる低音及びステレオ音響具現が可能なパネル振動型音響発生表示装置を提供することができる。
また、中央領域と左右側領域とを分割する音分離隔壁部の形状をアクチュエータ位置に連動して最適化することによって、各領域で発生できる反射波または定在波による音質特性劣化を防止することができる効果がある。
【０１７２】
また、中央領域と左右側領域とを分割する音分離隔壁部の高さ、個数、表示パネルとの接着の有無などを調節することによって、中央低音及び左右ステレオ音響具現特性に優れる表示装置を提供することができる効果がある。
【０１７３】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【符号の説明】
【０１７４】
１００    表示パネル
２００、１２００    中央アクチュエータ
２００’    左側アクチュエータ
２００’’    右側アクチュエータ
２１０、２１０’    上下部プレート
２２０    マグネット
２３０    センターポール
２４０    外部フレーム
２５０    ボビン
２６０    （ボイス）コイル
３００    カバーボトム
３１０    支持孔
４００、１４００    バッフル部
４１２    接着部材
４１４    シーリング部
５００    ミドルキャビネット
６００、１６００    第１音分離隔壁部
６００’、１６００’    第２音分離隔壁部
８００    金属プレート
１６１０    折曲部
２６１０、２６２０、２６３０    第１から第３折曲部
【図１】
2018093469.tif 000004
【図２ａ】
2018093469.tif 000005
【図２ｂ】
2018093469.tif 000006
【図３ａ】
2018093469.tif 000007
【図３ｂ】
2018093469.tif 000008
【図４ａ】
2018093469.tif 000009
【図４ｂ】
2018093469.tif 000010
【図５ａ】
2018093469.tif 000011
【図５ｂ】
2018093469.tif 000012
【図６ａ】
2018093469.tif 000013
【図６ｂ】
2018093469.tif 000014
【図７ａ】
2018093469.tif 000015
【図７ｂ】
2018093469.tif 000016
【図７ｃ】
2018093469.tif 000017
【図８ａ】
2018093469.tif 000018
【図８ｂ】
2018093469.tif 000019
【図９】
2018093469.tif 000020
【図１０ａ】
2018093469.tif 000021
【図１０ｂ】
2018093469.tif 000022
【図１１ａ】
2018093469.tif 000023
【図１１ｂ】
2018093469.tif 000024
【図１２ａ】
2018093469.tif 000025
【図１２ｂ】
2018093469.tif 000026
【図１３ａ】
2018093469.tif 000027
【図１３ｂ】
2018093469.tif 000028
【図１３ｃ】
2018093469.tif 000029
【図１４ａ】
2018093469.tif 000030
【図１４ｂ】
2018093469.tif 000031